(57)【要約】【課題】電力が不足すること、及び、電力が無駄に供給されること、を回避することが可能な電力供給システムを提供すること。【解決手段】電力供給システム１００は、サーバシステム１１０と複数の電力制御システム１２０ａ，１２０ｂとを含む。各電力制御システムは、電線網から電力を受電する受電状態と電力を電線網へ送電する送電状態とに状態が切り替わる。サーバシステム１１０は、送電側電力制御システム１２０ｂの制御装置と受電側電力制御システム１２０ａの制御装置との間で通信を行うための通信セッションを確立する（１１１）。受電側電力制御システム１２０ａの制御装置は、通信セッションを介して送電状態設定指示を送信し（１２１）、状態を受電状態に設定する（１２２）。送電側電力制御システム１２０ｂの制御装置は、送電状態設定指示を受信した場合、状態を送電状態に設定する（１２３）。【選択図】図９
2012010495.tif 000002
【特許請求の範囲】
【請求項１】
通信回線網に接続された制御装置と、電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムを複数含むとともに、
前記通信回線網に接続されたサーバシステムを含み、
前記サーバシステムは、
前記複数の電力制御システムの１つである送電側電力制御システムに含まれる制御装置と、前記複数の電力制御システムの他の１つである受電側電力制御システムに含まれる制御装置と、の間で通信を行うための通信セッションを確立する通信セッション確立手段を備え、
前記受電側電力制御システムに含まれる制御装置は、
前記確立された通信セッションを介して、通信相手となる制御装置へ、状態を前記送電状態に設定する旨を指示する送電状態設定指示を送信する送電状態設定指示送信手段と、
前記送電状態設定指示を送信した場合、当該受電側電力制御システムの状態を前記受電状態に設定する受電側状態制御手段と、
を備え、
前記送電側電力制御システムに含まれる制御装置は、
前記送電状態設定指示を受信した場合、当該送電側電力制御システムの状態を前記送電状態に設定する送電側状態制御手段を備える電力供給システム。
【請求項２】
請求項１に記載の電力供給システムであって、
前記制御装置は、
電力の供給を要求する旨を表す電力供給要求を前記サーバシステムへ送信する電力供給要求送信手段を備え、
前記サーバシステムは、
前記電力供給要求を受信した場合、前記送電側電力制御システムを特定する送電側電力制御システム特定手段を備え、
前記通信セッション確立手段は、
前記特定された送電側電力制御システムに含まれる制御装置と、前記電力供給要求を送信してきた電力制御システムである前記受電側電力制御システムに含まれる制御装置と、の間で通信を行うための通信セッションを確立するように構成された電力供給システム。
【請求項３】
請求項２に記載の電力供給システムであって、
前記電力出力装置は、蓄電池を備え、
前記制御装置は、
前記蓄電池が蓄電している電力量である蓄電量が、予め設定された閾値量よりも大きくなった場合、電力の供給が可能である旨を表す電力供給可能通知を前記サーバシステムへ送信する電力供給可能通知送信手段を備え、
前記サーバシステムは、
前記電力供給可能通知を受信した場合、当該電力供給可能通知を送信してきた制御装置を含む電力制御システムを識別するための電力制御システム識別情報を記憶装置に記憶させる識別情報記憶処理手段を備え、
前記送電側電力制御システム特定手段は、前記記憶装置に記憶されている電力制御システム識別情報により識別される電力制御システムを前記送電側電力制御システムとして特定するように構成された電力供給システム。
【請求項４】
請求項２に記載の電力供給システムであって、
前記制御装置は、
ユーザにより入力された情報であり、且つ、電力制御システムを識別するための情報である電力制御システム識別情報を受け付ける識別情報受付手段と、
前記受け付けた電力制御システム識別情報を前記サーバシステムへ送信する識別情報送信手段と、
を備え、
前記送電側電力制御システム特定手段は、前記受信した電力制御システム識別情報により識別される電力制御システムを前記送電側電力制御システムとして特定するように構成された電力供給システム。
【請求項５】
請求項２乃至請求項４のいずれか一項に記載の電力供給システムであって、
前記電力供給要求送信手段は、予め設定された電話番号に発呼することにより、前記サーバシステムへ前記電力供給要求を送信するように構成された電力供給システム。
【請求項６】
通信回線網に接続された制御装置と、電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムを複数含む電力供給システムに適用され、
前記通信回線網に接続されたサーバシステムが、前記複数の電力制御システムの１つである送電側電力制御システムに含まれる制御装置と、前記複数の電力制御システムの他の１つである受電側電力制御システムに含まれる制御装置と、の間で通信を行うための通信セッションを確立し、
前記受電側電力制御システムに含まれる制御装置が、前記確立された通信セッションを介して、通信相手となる制御装置へ、状態を前記送電状態に設定する旨を指示する送電状態設定指示を送信し、
前記受電側電力制御システムに含まれる制御装置が、前記送電状態設定指示を送信した場合、当該受電側電力制御システムの状態を前記受電状態に設定し、
前記送電側電力制御システムに含まれる制御装置が、前記送電状態設定指示を受信した場合、当該送電側電力制御システムの状態を前記送電状態に設定する、電力供給方法。
【請求項７】
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用され、
前記通信回線網に接続されたサーバシステムによって、他の制御装置との間で通信を行うために確立された通信セッションを介して、当該他の制御装置へ、状態を前記送電状態に設定する旨を指示する送電状態設定指示を送信する送電状態設定指示送信手段と、
前記送電状態設定指示を送信した場合、前記電力制御システムの状態を前記受電状態に設定する受電側状態制御手段と、
を備える制御装置。
【請求項８】
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用される制御装置に、
前記通信回線網に接続されたサーバシステムによって、他の制御装置との間で通信を行うために確立された通信セッションを介して、当該他の制御装置へ、状態を前記送電状態に設定する旨を指示する送電状態設定指示を送信する送電状態設定指示送信手段と、
前記送電状態設定指示を送信した場合、前記電力制御システムの状態を前記受電状態に設定する受電側状態制御手段と、
を実現させるためのプログラム。
【請求項９】
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用され、
前記通信回線網に接続されたサーバシステムによって、他の制御装置との間で通信を行うために確立された通信セッションを介して、当該他の制御装置から、状態を前記送電状態に設定する旨を指示する送電状態設定指示を受信した場合、前記電力制御システムの状態を前記送電状態に設定する送電側状態制御手段を備える制御装置。
【請求項１０】
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用される制御装置に、
前記通信回線網に接続されたサーバシステムによって、他の制御装置との間で通信を行うために確立された通信セッションを介して、当該他の制御装置から、状態を前記送電状態に設定する旨を指示する送電状態設定指示を受信した場合、前記電力制御システムの状態を前記送電状態に設定する送電側状態制御手段を実現させるためのプログラム。
【発明の詳細な説明】
【技術分野】
【０００１】
本発明は、電力を受電及び送電することが可能な電力制御システムを複数含む電力供給システムに関する。
【背景技術】
【０００２】
電力を受電及び送電することが可能な電力制御システムを複数含む電力供給システムが知られている。この種の電力供給システムの一つとして特許文献１に記載の電力供給システムにおいて、電力制御システムは、通信回線網に接続された制御装置と、電力を出力可能な電力出力装置（例えば、蓄電池）と、電力負荷が接続される接続端子と、を備える。
【０００３】
電力制御システムは、例えば、住宅に配置される。電力制御システムは、電線網に接続され、且つ、当該電線網から電力を受電する受電状態と、前記電力出力装置により出力された電力を当該電線網へ送電する送電状態と、に状態が切り替わる。
【０００４】
これによれば、第１の電力制御システムが消費する電力量が過大になった場合に、第１の電力制御システムの状態を受電状態に設定するとともに、第２の電力制御システムの状態を送電状態に設定することにより、第２の電力制御システムから第１の電力制御システムへ電力を供給することができる。
【先行技術文献】
【特許文献】
【０００５】
【特許文献１】特表２０１０−５１２７２７号公報
【発明の概要】
【発明が解決しようとする課題】
【０００６】
しかしながら、上記電力供給システムにおいては、制御装置間で情報を直接に授受することができない。従って、第１の電力制御システムが消費する電力量が増加するタイミングと、第２の電力制御システムの状態が送電状態に設定されるタイミングと、が比較的大きく相違する虞があった。その結果、第１の電力制御システムにおいて電力が不足する場合、又は、第２の電力制御システムから電力が無駄に供給される場合等が生じる虞があった。
【０００７】
このため、本発明の目的は、上述した課題である「電力制御システムにおいて電力が不足する場合、又は、電力制御システムから電力が無駄に供給される場合が生じること」を解決することが可能な電力供給システムを提供することにある。
【課題を解決するための手段】
【０００８】
かかる目的を達成するため本発明の一形態である電力供給システムは、
通信回線網に接続された制御装置と、電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる電力制御システムを複数含むとともに、
上記通信回線網に接続されたサーバシステムを含み、
上記サーバシステムは、
上記複数の電力制御システムの１つである送電側電力制御システムに含まれる制御装置と、上記複数の電力制御システムの他の１つである受電側電力制御システムに含まれる制御装置と、の間で通信を行うための通信セッションを確立する通信セッション確立手段を備え、
上記受電側電力制御システムに含まれる制御装置は、
上記確立された通信セッションを介して、通信相手となる制御装置へ、状態を上記送電状態に設定する旨を指示する送電状態設定指示を送信する送電状態設定指示送信手段と、
上記送電状態設定指示を送信した場合、当該受電側電力制御システムの状態を上記受電状態に設定する受電側状態制御手段と、
を備え、
上記送電側電力制御システムに含まれる制御装置は、
上記送電状態設定指示を受信した場合、当該送電側電力制御システムの状態を上記送電状態に設定する送電側状態制御手段を備える。
【０００９】
また、本発明の他の形態である電力供給方法は、
通信回線網に接続された制御装置と、電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる電力制御システムを複数含む電力供給システムに適用され、
上記通信回線網に接続されたサーバシステムが、上記複数の電力制御システムの１つである送電側電力制御システムに含まれる制御装置と、上記複数の電力制御システムの他の１つである受電側電力制御システムに含まれる制御装置と、の間で通信を行うための通信セッションを確立し、
上記受電側電力制御システムに含まれる制御装置が、上記確立された通信セッションを介して、通信相手となる制御装置へ、状態を上記送電状態に設定する旨を指示する送電状態設定指示を送信し、
上記受電側電力制御システムに含まれる制御装置が、上記送電状態設定指示を送信した場合、当該受電側電力制御システムの状態を上記受電状態に設定し、
上記送電側電力制御システムに含まれる制御装置が、上記送電状態設定指示を受信した場合、当該送電側電力制御システムの状態を上記送電状態に設定する方法である。
【００１０】
また、本発明の他の形態である制御装置は、通信回線網に接続された装置である。
更に、この制御装置は、
電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる電力制御システムに適用され、
上記通信回線網に接続されたサーバシステムによって、他の制御装置との間で通信を行うために確立された通信セッションを介して、当該他の制御装置へ、状態を上記送電状態に設定する旨を指示する送電状態設定指示を送信する送電状態設定指示送信手段と、
上記送電状態設定指示を送信した場合、上記電力制御システムの状態を上記受電状態に設定する受電側状態制御手段と、
を備える。
【００１１】
また、本発明の他の形態であるプログラムは、
通信回線網に接続された制御装置であって、
電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる電力制御システムに適用される制御装置に、
上記通信回線網に接続されたサーバシステムによって、他の制御装置との間で通信を行うために確立された通信セッションを介して、当該他の制御装置へ、状態を上記送電状態に設定する旨を指示する送電状態設定指示を送信する送電状態設定指示送信手段と、
上記送電状態設定指示を送信した場合、上記電力制御システムの状態を上記受電状態に設定する受電側状態制御手段と、
を実現させるためのプログラムである。
【００１２】
また、本発明の他の形態である制御装置は、通信回線網に接続された装置である。
更に、この制御装置は、
電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる電力制御システムに適用され、
上記通信回線網に接続されたサーバシステムによって、他の制御装置との間で通信を行うために確立された通信セッションを介して、当該他の制御装置から、状態を上記送電状態に設定する旨を指示する送電状態設定指示を受信した場合、上記電力制御システムの状態を上記送電状態に設定する送電側状態制御手段を備える。
【００１３】
また、本発明の他の形態であるプログラムは、
通信回線網に接続された制御装置であって、
電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる電力制御システムに適用される制御装置に、
上記通信回線網に接続されたサーバシステムによって、他の制御装置との間で通信を行うために確立された通信セッションを介して、当該他の制御装置から、状態を上記送電状態に設定する旨を指示する送電状態設定指示を受信した場合、上記電力制御システムの状態を上記送電状態に設定する送電側状態制御手段を実現させるためのプログラムである。
【発明の効果】
【００１４】
本発明は、以上のように構成されることにより、電力が不足すること、及び、電力が無駄に供給されること、を回避することができる。
【図面の簡単な説明】
【００１５】
【図１】本発明の第１実施形態に係る電力供給システムの概略構成を表す図である。
【図２】本発明の第１実施形態に係る電力供給システムの機能の概略を表すブロック図である。
【図３】本発明の第１実施形態に係る制御装置が実行する電力供給可能通知送信プログラムを示したフローチャートである。
【図４】本発明の第１実施形態に係るサーバ装置が実行する電力供給可能通知受信プログラムを示したフローチャートである。
【図５】本発明の第１実施形態に係る制御装置が実行する受電側状態制御プログラムを示したフローチャートである。
【図６】本発明の第１実施形態に係るサーバ装置が実行する通信セッション確立プログラムを示したフローチャートである。
【図７】本発明の第１実施形態に係る制御装置が実行する送電側状態制御プログラムを示したフローチャートである。
【図８】本発明の第２実施形態に係る電力供給システムの機能の概略を表すブロック図である。
【図９】本発明の第３実施形態に係る電力供給システムの機能の概略を表すブロック図である。
【発明を実施するための形態】
【００１６】
以下、本発明に係る、電力供給システム、電力供給方法、制御装置、及び、プログラム、の各実施形態について図１〜図９を参照しながら説明する。
【００１７】
＜第１実施形態＞
（構成）
図１に示したように、第１実施形態に係る電力供給システム１は、サーバシステム１０と、複数の電力制御システム２０ａ，２０ｂ，…と、を含む。
【００１８】
サーバシステム１０は、通信回線網（本例では、ＩＰ（Ｉｎｔｅｒｎｅｔ  Ｐｒｏｔｏｃｏｌ）網）ＣＮＷに接続されている。サーバシステム１０は、複数のサーバ装置を含む。複数のサーバ装置は、Ｐ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）、Ｓ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）、Ｉ−ＣＳＣＦ（Ｉｎｔｅｒｒｏｇａｔｉｎｇ  Ｃａｌｌ  Ｓｅｓｓｉｏｎ  Ｃｏｎｔｒｏｌ  Ｆｕｎｃｔｉｏｎ）、及び、ＰＲ−ＡＳ（Ｐｒｅｓｅｎｃｅ  Ａｐｐｌｉｃａｔｉｏｎ  Ｓｅｒｖｅｒ）等の機能を有する複数のＳＩＰ（Ｓｅｓｓｉｏｎ  Ｉｎｉｔｉａｔｉｏｎ  Ｐｒｏｔｏｃｏｌ）サーバ、並びに、ＨＳＳ（Ｈｏｍｅ  Ｓｕｂｓｃｒｉｂｅｒ  Ｓｅｒｖｅｒ）等を含む。
【００１９】
サーバシステム１０に含まれる各サーバ装置は、図示しない中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。各サーバ装置は、記憶装置に記憶されているプログラムをＣＰＵが実行することにより、後述する機能を実現するように構成されている。
【００２０】
電力制御システム２０ａは、制御装置２１と、発電機２２と、蓄電池２３と、接続端子２４と、を備える。
【００２１】
制御装置２１は、通信回線網ＣＮＷに接続されている。
発電機２２は、電力を生成（発電）する。本例では、発電機２２は、太陽光により電力を生成する（太陽光発電を行う）発電機である。なお、発電機２２は、風力により電力を生成する（風力発電を行う）発電機であってもよい。
【００２２】
蓄電池２３は、発電機２２により生成された電力を蓄電（充電）する。蓄電池２３は、電線網ＰＮＷに接続されている。蓄電池２３は、電力を外部へ出力可能な電力出力装置を構成している。
接続端子２４は、電力負荷（電力を消費する装置及び機器（例えば、電機自動車、冷蔵庫、テレビ受像機、照明器具、空調装置、及び、オーディオ機器等））が接続される端子である。接続端子２４は、蓄電池２３に蓄電されている電力、又は、電線網ＰＮＷから受電された電力を、接続されている電力負荷へ供給する。
【００２３】
電力制御システム２０ａは、電線網ＰＮＷから電力を受電する受電状態と、電線網ＰＮＷへ電力を送電する送電状態と、に状態が切り替わる。
【００２４】
電力制御システム２０ａの状態が受電状態に設定されている場合、電力制御システム２０ａは、電線網ＰＮＷから受電された電力を、蓄電池２３、及び／又は、接続端子２４に接続されている電力負荷へ供給する。一方、電力制御システム２０ａの状態が送電状態に設定されている場合、電力制御システム２０ａは、蓄電池２３に蓄電されている電力（即ち、電力出力装置から出力された電力）を電線網ＰＮＷへ供給する。
【００２５】
なお、電力制御システム２０ａは、発電機２２を備えていなくてもよい。また、電力制御システム２０ａは、蓄電池２３を備えていなくてもよい。この場合、電力制御システム２０ａは、電力制御システム２０ａの状態が送電状態に設定されているときに、発電機２２により生成された電力を電線網ＰＮＷへ供給するように構成されることが好適である。
【００２６】
なお、他の電力制御システム２０ｂ，…のそれぞれも、電力制御システム２０ａと同様の構成を有する。このような構成により、サーバシステム１０と、複数の電力制御システム２０ａ，２０ｂ，…のそれぞれに含まれる制御装置２１と、は、互いに通信可能に接続されている。本例では、サーバシステム１０と、複数の電力制御システム２０ａ，２０ｂ，…のそれぞれに含まれる制御装置２１と、は、ＳＩＰに従ったメッセージを授受することにより情報を授受する。
【００２７】
（機能）
図２は、上記のように構成された電力供給システム１の機能のうちの、サーバシステム１０の機能と、電力制御システム２０ａが備える制御装置２１の機能と、を表すブロック図である。なお、他の電力制御システム２０ｂ，…のそれぞれが備える制御装置２１も、電力制御システム２０ａが備える制御装置２１と同様の機能を有する。
【００２８】
サーバシステム１０の機能は、識別情報記憶処理部（識別情報記憶処理手段）１１と、識別情報記憶部（識別情報記憶手段）１２と、送電側電力制御システム特定部（送電側電力制御システム特定手段）１３と、通信セッション確立部（通信セッション確立手段）１４と、を含む。
【００２９】
制御装置２１の機能は、電力供給可能通知送信部（電力供給可能通知送信手段）２１ａと、電力供給要求送信部（電力供給要求送信手段）２１ｂと、送電状態設定指示送信部（送電状態設定指示送信手段）２１ｃと、状態制御部（受電側状態制御手段、及び、送電側状態制御手段）２１ｄと、を含む。
【００３０】
制御装置２１の電力供給可能通知送信部２１ａは、予め設定された検出周期が経過する毎に、蓄電池２３が蓄電している電力量である蓄電量を検出する。電力供給可能通知送信部２１ａは、検出された蓄電量が、予め設定された閾値量よりも大きくなった場合、電力供給可能通知をサーバシステム１０へ送信する。電力供給可能通知は、電力の供給が可能である旨を表す情報である。
【００３１】
サーバシステム１０の識別情報記憶処理部１１は、制御装置２１から電力供給可能通知を受信する。識別情報記憶処理部１１は、電力供給可能通知を受信した場合、当該電力供給可能通知を送信してきた制御装置２１を含む電力制御システム２０ａ，２０ｂ，…を識別するための電力制御システム識別情報を識別情報記憶部１２に記憶させる。
サーバシステム１０の識別情報記憶部１２は、電力制御システム識別情報を記憶する。
【００３２】
制御装置２１の電力供給要求送信部２１ｂは、電力の供給を要求する旨を表す電力供給要求をサーバシステム１０へ送信する。本例では、電力供給要求送信部２１ｂは、予め設定された電話番号と、発呼を指示する旨を表す情報と、がユーザにより入力された場合に、当該入力された電話番号へ発呼することにより、サーバシステム１０へ電力供給要求を送信する。換言すると、サーバシステム１０が上記電話番号にて着呼することは、サーバシステム１０が電力供給要求を受信することに対応している。
【００３３】
サーバシステム１０の送電側電力制御システム特定部１３は、制御装置２１から電力供給要求を受信する。送電側電力制御システム特定部１３は、電力供給要求を受信した場合、電力制御システム２０ａ，２０ｂ，…のうちの１つを送電側電力制御システムとして特定する。
【００３４】
本例では、送電側電力制御システム特定部１３は、識別情報記憶部１２に記憶されている電力制御システム識別情報の中から１つの電力制御システム識別情報を選択する。そして、送電側電力制御システム特定部１３は、選択された電力制御システム識別情報により識別される電力制御システムを送電側電力制御システムとして特定する。
【００３５】
通信セッション確立部１４は、送電側電力制御システム特定部１３により特定された送電側電力制御システムに含まれる制御装置２１と、電力供給要求を送信してきた電力制御システム（受電側電力制御システム）に含まれる制御装置２１と、の間で通信を行うための通信セッションを確立する。本例では、通信セッション確立部１４は、ＳＩＰに従ったメッセージを授受することにより、上記通信セッションを確立する。
【００３６】
制御装置２１の送電状態設定指示送信部２１ｃは、電力供給要求送信部２１ｂが送信した電力供給要求に応じてサーバシステム１０が通信セッションを確立した場合、当該通信セッションを介して、通信相手となる制御装置２１へ、送電状態設定指示を送信する。送電状態設定指示は、状態を送電状態に設定する旨を指示する情報である。
【００３７】
制御装置２１の状態制御部２１ｄは、送電状態設定指示送信部２１ｃが送電状態設定指示を送信した場合、電力制御システム２０ａの状態を受電状態に設定する。また、状態制御部２１ｄは、他の制御装置２１から送電状態設定指示を受信した場合、電力制御システム２０ａの状態を送電状態に設定する。
【００３８】
（作動）
次に、上述した電力供給システム１の作動について説明する。
各電力制御システム２０ａ，２０ｂ，…が備える制御装置２１のＣＰＵは、図３にフローチャートにより示した電力供給可能通知送信プログラムを、上記検出周期が経過する毎に実行するようになっている。ここでは、電力制御システム２０ｂが備える制御装置２１の作動を例として説明するが、他の電力制御システム２０ａ，…が備える制御装置２１も同様に作動する。
【００３９】
具体的に述べると、制御装置２１は、電力供給可能通知送信プログラムの処理を開始すると、蓄電池２３に蓄電されている蓄電量を検出する（ステップＳ１０１）。次いで、制御装置２１は、検出された蓄電量が上記閾値量よりも大きいか否かを判定する（ステップＳ１０２）。
【００４０】
検出された蓄電量が上記閾値量よりも大きい場合、制御装置２１は、「Ｙｅｓ」と判定してステップＳ１０３へ進み、電力供給可能通知をサーバシステム１０へ送信する。その後、制御装置２１は、この電力供給可能通知送信プログラムの処理を終了する。
一方、検出された蓄電量が上記閾値量以下である場合、制御装置２１は、「Ｎｏ」と判定して、電力供給可能通知をサーバシステム１０へ送信することなく、この電力供給可能通知送信プログラムの処理を終了する。
【００４１】
また、サーバシステム１０が備えるサーバ装置のＣＰＵは、図４にフローチャートにより示した電力供給可能通知受信プログラムを、サーバ装置の起動時に実行するようになっている。
【００４２】
具体的に述べると、サーバ装置は、電力供給可能通知受信プログラムの処理を開始すると、電力供給可能通知を受信するまで待機する（ステップＳ２０１）。
【００４３】
そして、サーバ装置が電力供給可能通知を受信すると、サーバ装置は、「Ｙｅｓ」と判定してステップＳ２０２へ進み、電力供給可能通知を送信してきた制御装置２１を備える電力制御システム２０ａ，２０ｂ，…（ここでは、電力制御システム２０ｂ）を識別するための電力制御システム識別情報を記憶装置に記憶させる。
【００４４】
その後、サーバ装置は、ステップＳ２０１へ戻り、ステップＳ２０１〜ステップＳ２０２の処理を繰り返し実行する。
【００４５】
また、各電力制御システム２０ａ，２０ｂ，…が備える制御装置２１のＣＰＵは、図５にフローチャートにより示した受電側状態制御プログラムを、制御装置２１の起動時に実行するようになっている。ここでは、電力制御システム２０ａが備える制御装置２１の作動を例として説明するが、他の電力制御システム２０ｂ，…が備える制御装置２１も同様に作動する。
【００４６】
具体的に述べると、制御装置２１は、受電側状態制御プログラムの処理を開始すると、電力供給要求を受け付けるまで待機する（ステップＳ３０１）。そして、ユーザによって、予め設定された電話番号と、発呼を指示する旨を表す情報と、が入力されると、制御装置２１は、当該ユーザにより入力された情報を電力供給要求として受け付ける。これにより、制御装置２１は、「Ｙｅｓ」と判定してステップＳ３０２へ進み、サーバシステム１０へ電力供給要求を送信する。
【００４７】
その後、制御装置２１は、サーバシステム１０によって通信セッションが確立されるまで待機する（ステップＳ３０３）。
【００４８】
一方、サーバシステム１０が備えるサーバ装置のＣＰＵは、図６にフローチャートにより示した通信セッション確立プログラムを、サーバ装置の起動時に実行するようになっている。
【００４９】
具体的に述べると、サーバ装置は、通信セッション確立プログラムの処理を開始すると、電力供給要求を受信するまで待機する（ステップＳ４０１）。そして、サーバ装置が電力供給要求を受信すると、サーバ装置は、「Ｙｅｓ」と判定してステップＳ４０２へ進み、送電側電力制御システムを特定する。
【００５０】
具体的には、サーバ装置は、記憶装置に記憶されている電力制御システム識別情報の中から１つの電力制御システム識別情報を選択する。そして、サーバ装置は、選択された電力制御システム識別情報により識別される電力制御システム（ここでは、電力制御システム２０ｂ）を送電側電力制御システムとして特定する（ステップＳ４０２）。
【００５１】
そして、サーバ装置は、特定された送電側電力制御システム（ここでは、電力制御システム２０ｂ）に含まれる制御装置２１と、電力供給要求を送信してきた受電側電力制御システム（ここでは、電力制御システム２０ａ）に含まれる制御装置２１と、の間で通信を行うための通信セッションを確立する（ステップＳ４０３）。その後、サーバ装置は、ステップＳ４０１へ戻り、ステップＳ４０１〜ステップＳ４０３の処理を繰り返し実行する。
【００５２】
これにより、電力制御システム２０ａの制御装置２１は、図５のステップＳ３０３にて「Ｙｅｓ」と判定してステップＳ３０４へ進む。そして、制御装置２１は、確立された通信セッションを介して、通信相手となる制御装置２１（本例では、電力制御システム２０ｂが備える制御装置２１）へ、送電状態設定指示を送信する。
【００５３】
その後、電力制御システム２０ａの制御装置２１は、電力制御システム２０ａの状態を受電状態に設定する（ステップＳ３０５）。そして、制御装置２１は、ステップＳ３０１へ戻り、ステップＳ３０１〜ステップＳ３０５の処理を繰り返し実行する。
【００５４】
一方、各電力制御システム２０ａ，２０ｂ，…が備える制御装置２１のＣＰＵは、図７にフローチャートにより示した送電側状態制御プログラムを、制御装置２１の起動時に実行するようになっている。ここでは、電力制御システム２０ｂが備える制御装置２１の作動を例として説明するが、他の電力制御システム２０ａ，…が備える制御装置２１も同様に作動する。
【００５５】
具体的に述べると、制御装置２１は、送電側状態制御プログラムの処理を開始すると、送電状態設定指示を受信するまで待機する（ステップＳ５０１）。そして、制御装置２１が送電状態設定指示を受信すると、制御装置２１は、「Ｙｅｓ」と判定してステップＳ５０２へ進み、電力制御システム２０ｂの状態を送電状態に設定する。そして、制御装置２１は、ステップＳ５０１へ戻り、ステップＳ５０１〜ステップＳ５０２の処理を繰り返し実行する。
【００５６】
以上、説明したように、本発明の第１実施形態に係る電力供給システム１によれば、制御装置２１間で情報を直接に授受することができる。これにより、受電側電力制御システム２０ａが消費する電力量が増加するタイミングと、送電側電力制御システム２０ｂの状態が送電状態に設定されるタイミングと、を十分に高い精度にて一致させることができる。その結果、受電側電力制御システム２０ａにおいて電力が不足すること、及び、送電側電力制御システム２０ｂから電力が無駄に供給されること、を回避することができる。
【００５７】
更に、第１実施形態に係る電力供給システム１は、蓄電量が十分に大きい電力制御システム２０ａ，２０ｂ，…から、他の電力制御システム２０ａ，２０ｂ，…へ電力が供給されるように構成される。これにより、電力制御システム２０ａ，２０ｂ，…における蓄電量が過小となることを防止することができる。
【００５８】
加えて、第１実施形態に係る電力供給システム１は、予め設定された電話番号に発呼することにより、サーバシステム１０へ電力供給要求を送信するように構成される。
これによれば、ユーザは、容易に制御装置２１に電力供給要求を送信させることができる。
【００５９】
なお、第１実施形態に係る電力供給システム１において、制御装置２１、発電機２２及び蓄電池２３のそれぞれは、互いに独立した装置であった。ところで、第１実施形態の変形例に係る電力供給システム１において、制御装置２１は、発電機２２又は蓄電池２３に搭載又は内蔵されていてもよい。
【００６０】
また、第１実施形態に係る電力供給システム１は、蓄電池２３に蓄電されている蓄電量が上記閾値量以下となった場合に、当該蓄電池２３を備える電力制御システム２０ａ，２０ｂ，…を識別するための電力制御システム識別情報を、識別情報記憶部１２から消去するように構成されることが好適である。
【００６１】
また、第１実施形態に係る電力供給システム１の変形例において、識別情報記憶部１２は、電力制御システム識別情報と、電力供給可能フラグ情報と、を対応付けて記憶するように構成されていてもよい。電力供給可能フラグ情報は、外部へ電力を供給可能であるか否かを表す情報である。
【００６２】
この場合、識別情報記憶処理部１１は、電力供給可能通知を受信した場合、当該電力供給可能通知を送信してきた制御装置２１を含む電力制御システム２０ａ，２０ｂ，…を識別するための電力制御システム識別情報と対応付けられた電力供給可能フラグ情報を、外部へ電力を供給可能である旨を表す情報に更新する。
【００６３】
なお、第１実施形態に係る電力供給システム１において、サーバシステム１０及び制御装置２１により構成される通信システムは、ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ）、ＭＭＳ（Ｍｕｌｔｉｍｅｄｉａ  Ｍｅｓｓａｇｉｎｇ  Ｓｅｒｖｉｃｅ）、又は、ＭＭＤ（Ｍｕｌｔｉｍｅｄｉａ  Ｄｏｍａｉｎ）を構成していてもよい。
【００６４】
＜第２実施形態＞
次に、本発明の第２実施形態に係る電力供給システムについて説明する。第２実施形態に係る電力供給システムは、上記第１実施形態に係る電力供給システムに対して、ユーザが送電側電力制御システムを決定するように構成されている点において相違している。従って、以下、かかる相違点を中心として説明する。
【００６５】
図８に示したように、第２実施形態に係るサーバシステム１０の機能は、第１実施形態に係るサーバシステム１０の機能から、識別情報記憶処理部１１及び識別情報記憶部１２を除いた機能を有する。
【００６６】
また、第２実施形態に係る制御装置２１の機能は、第１実施形態に係る制御装置２１の機能から、電力供給可能通知送信部２１ａを除くとともに、識別情報受付部（識別情報受付手段）２１ｅ及び識別情報送信部（識別情報送信手段）２１ｆを追加した機能を有する。
【００６７】
制御装置２１の識別情報受付部２１ｅは、ユーザにより入力された情報であり、且つ、電力制御システム２０ａ，２０ｂ，…を識別するための情報である電力制御システム識別情報を受け付ける。本例では、電力制御システム識別情報は、電力制御システム（又は、制御装置）に予め割り当てられた電話番号を表す情報である。
【００６８】
制御装置２１の識別情報送信部２１ｆは、識別情報受付部２１ｅにより受け付けられた電力制御システム識別情報をサーバシステム１０へ送信する。
【００６９】
サーバシステム１０の送電側電力制御システム特定部１３は、制御装置２１から電力制御システム識別情報を受信する。送電側電力制御システム特定部１３は、受信した電力制御システム識別情報により識別される電力制御システム２０ａ，２０ｂ，…を送電側電力制御システムとして特定する。
【００７０】
第２実施形態に係る制御装置２１は、図５に示した受電側状態制御プログラム、及び、図７に示した送電側状態制御プログラムを実行する。また、第２実施形態に係るサーバシステム１０が備えるサーバ装置は、図６に示した通信セッション確立プログラムを実行する。
【００７１】
以上、説明したように、本発明の第２実施形態に係る電力供給システム１によれば、第１実施形態に係る電力供給システム１と同様の作用及び効果を奏することができる。
更に、第２実施形態に係る電力供給システム１によれば、ユーザが、電力を供給する送電側電力制御システムを決定することができる。例えば、ユーザは、他人の住宅に設置された電力制御システムへ電力を供給する電力制御システムとして、自宅に設置された電力制御システムを決定することができる。即ち、ユーザの利便性を向上させることができる。
【００７２】
なお、第２実施形態の変形例に係る電力供給システム１は、サーバシステム１０が備えるサーバ装置がＩＶＲ（Ｉｎｔｅｒａｃｔｉｖｅ  Ｖｏｉｃｅ  Ｒｅｓｐｏｎｓｅ）機能を有するとともに、ＩＶＲ機能を用いてユーザに電力制御システム識別情報を入力させるように構成されていてもよい。
【００７３】
＜第３実施形態＞
次に、本発明の第３実施形態に係る電力供給システムについて図９を参照しながら説明する。
第３実施形態に係る電力供給システム１００は、通信回線網に接続されたサーバシステム１１０を含む。更に、電力供給システム１００は、複数の電力制御システム１２０ａ，１２０ｂを含む。
【００７４】
各電力制御システム１２０ａ，１２０ｂは、通信回線網に接続された制御装置と、電力を出力可能な電力出力装置と、電力負荷が接続される接続端子と、を備えるとともに、電線網に接続され、且つ、当該電線網から電力を受電する受電状態と、上記電力出力装置により出力された電力を当該電線網へ送電する送電状態と、に状態が切り替わる。
【００７５】
サーバシステム１１０は、
上記複数の電力制御システム１２０ａ，１２０ｂの１つである送電側電力制御システム１２０ｂに含まれる制御装置と、上記複数の電力制御システム１２０ａ，１２０ｂの他の１つである受電側電力制御システム１２０ａに含まれる制御装置と、の間で通信を行うための通信セッションを確立する通信セッション確立部（通信セッション確立手段）１１１を備える。
【００７６】
受電側電力制御システム１２０ａに含まれる制御装置は、
上記確立された通信セッションを介して、通信相手となる制御装置へ、状態を上記送電状態に設定する旨を指示する送電状態設定指示を送信する送電状態設定指示送信部（送電状態設定指示送信手段）１２１と、
上記送電状態設定指示を送信した場合、受電側電力制御システム１２０ａの状態を上記受電状態に設定する受電側状態制御部（受電側状態制御手段）１２２と、
を備える。
【００７７】
送電側電力制御システム１２０ｂに含まれる制御装置は、
上記送電状態設定指示を受信した場合、送電側電力制御システム１２０ｂの状態を上記送電状態に設定する送電側状態制御部（送電側状態制御手段）１２３を備える。
【００７８】
これによれば、制御装置間で情報を直接に授受することができる。これにより、受電側電力制御システム１２０ａが消費する電力量が増加するタイミングと、送電側電力制御システム１２０ｂの状態が送電状態に設定されるタイミングと、を十分に高い精度にて一致させることができる。その結果、受電側電力制御システム１２０ａにおいて電力が不足すること、及び、送電側電力制御システム１２０ｂから電力が無駄に供給されること、を回避することができる。
【００７９】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【００８０】
なお、上記各実施形態において電力供給システム１の各機能は、ＣＰＵがプログラム（ソフトウェア）を実行することにより実現されていたが、回路等のハードウェアにより実現されていてもよい。
【００８１】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【００８２】
また、上記実施形態の他の変形例として、上述した実施形態及び変形例の任意の組み合わせが採用されてもよい。
【００８３】
＜付記＞
上記実施形態の一部又は全部は、以下の付記のように記載され得るが、以下には限られない。
【００８４】
（付記１）
通信回線網に接続された制御装置と、電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムを複数含むとともに、
前記通信回線網に接続されたサーバシステムを含み、
前記サーバシステムは、
前記複数の電力制御システムの１つである送電側電力制御システムに含まれる制御装置と、前記複数の電力制御システムの他の１つである受電側電力制御システムに含まれる制御装置と、の間で通信を行うための通信セッションを確立する通信セッション確立手段を備え、
前記受電側電力制御システムに含まれる制御装置は、
前記確立された通信セッションを介して、通信相手となる制御装置へ、状態を前記送電状態に設定する旨を指示する送電状態設定指示を送信する送電状態設定指示送信手段と、
前記送電状態設定指示を送信した場合、当該受電側電力制御システムの状態を前記受電状態に設定する受電側状態制御手段と、
を備え、
前記送電側電力制御システムに含まれる制御装置は、
前記送電状態設定指示を受信した場合、当該送電側電力制御システムの状態を前記送電状態に設定する送電側状態制御手段を備える電力供給システム。
【００８５】
これによれば、制御装置間で情報を直接に授受することができる。これにより、受電側電力制御システムが消費する電力量が増加するタイミングと、送電側電力制御システムの状態が送電状態に設定されるタイミングと、を十分に高い精度にて一致させることができる。その結果、受電側電力制御システムにおいて電力が不足すること、及び、送電側電力制御システムから電力が無駄に供給されること、を回避することができる。
【００８６】
（付記２）
付記１に記載の電力供給システムであって、
前記制御装置は、
電力の供給を要求する旨を表す電力供給要求を前記サーバシステムへ送信する電力供給要求送信手段を備え、
前記サーバシステムは、
前記電力供給要求を受信した場合、前記送電側電力制御システムを特定する送電側電力制御システム特定手段を備え、
前記通信セッション確立手段は、
前記特定された送電側電力制御システムに含まれる制御装置と、前記電力供給要求を送信してきた電力制御システムである前記受電側電力制御システムに含まれる制御装置と、の間で通信を行うための通信セッションを確立するように構成された電力供給システム。
【００８７】
（付記３）
付記２に記載の電力供給システムであって、
前記電力出力装置は、蓄電池を備え、
前記制御装置は、
前記蓄電池が蓄電している電力量である蓄電量が、予め設定された閾値量よりも大きくなった場合、電力の供給が可能である旨を表す電力供給可能通知を前記サーバシステムへ送信する電力供給可能通知送信手段を備え、
前記サーバシステムは、
前記電力供給可能通知を受信した場合、当該電力供給可能通知を送信してきた制御装置を含む電力制御システムを識別するための電力制御システム識別情報を記憶装置に記憶させる識別情報記憶処理手段を備え、
前記送電側電力制御システム特定手段は、前記記憶装置に記憶されている電力制御システム識別情報により識別される電力制御システムを前記送電側電力制御システムとして特定するように構成された電力供給システム。
【００８８】
これによれば、蓄電量が十分に大きい電力制御システムから、他の電力制御システムへ電力が供給される。従って、電力制御システムにおける蓄電量が過小となることを防止することができる。
【００８９】
（付記４）
付記２に記載の電力供給システムであって、
前記制御装置は、
ユーザにより入力された情報であり、且つ、電力制御システムを識別するための情報である電力制御システム識別情報を受け付ける識別情報受付手段と、
前記受け付けた電力制御システム識別情報を前記サーバシステムへ送信する識別情報送信手段と、
を備え、
前記送電側電力制御システム特定手段は、前記受信した電力制御システム識別情報により識別される電力制御システムを前記送電側電力制御システムとして特定するように構成された電力供給システム。
【００９０】
これによれば、ユーザが、電力を供給する送電側電力制御システムを決定することができる。例えば、ユーザは、他人の住宅に設置された電力制御システムへ電力を供給する電力制御システムとして、自宅に設置された電力制御システムを決定することができる。即ち、ユーザの利便性を向上させることができる。
【００９１】
（付記５）
付記２乃至付記４のいずれか一項に記載の電力供給システムであって、
前記電力供給要求送信手段は、予め設定された電話番号に発呼することにより、前記サーバシステムへ前記電力供給要求を送信するように構成された電力供給システム。
【００９２】
これによれば、ユーザは、容易に制御装置に電力供給要求を送信させることができる。
【００９３】
（付記６）
付記１乃至付記５のいずれか一項に記載の電力供給システムであって、
前記通信セッション確立手段は、ＳＩＰ（Ｓｅｓｓｉｏｎ  Ｉｎｉｔｉａｔｉｏｎ  Ｐｒｏｔｏｃｏｌ）に従ったメッセージを授受することにより、前記通信セッションを確立するように構成された電力供給システム。
【００９４】
（付記７）
通信回線網に接続された制御装置と、電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムを複数含む電力供給システムに適用され、
前記通信回線網に接続されたサーバシステムが、前記複数の電力制御システムの１つである送電側電力制御システムに含まれる制御装置と、前記複数の電力制御システムの他の１つである受電側電力制御システムに含まれる制御装置と、の間で通信を行うための通信セッションを確立し、
前記受電側電力制御システムに含まれる制御装置が、前記確立された通信セッションを介して、通信相手となる制御装置へ、状態を前記送電状態に設定する旨を指示する送電状態設定指示を送信し、
前記受電側電力制御システムに含まれる制御装置が、前記送電状態設定指示を送信した場合、当該受電側電力制御システムの状態を前記受電状態に設定し、
前記送電側電力制御システムに含まれる制御装置が、前記送電状態設定指示を受信した場合、当該送電側電力制御システムの状態を前記送電状態に設定する、電力供給方法。
【００９５】
（付記８）
付記７に記載の電力供給方法であって、
前記制御装置が、電力の供給を要求する旨を表す電力供給要求を前記サーバシステムへ送信し、
前記サーバシステムが、前記電力供給要求を受信した場合、前記送電側電力制御システムを特定し、
前記サーバシステムが、前記特定された送電側電力制御システムに含まれる制御装置と、前記電力供給要求を送信してきた電力制御システムである前記受電側電力制御システムに含まれる制御装置と、の間で通信を行うための通信セッションを確立する、電力供給方法。
【００９６】
（付記９）
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用され、
前記通信回線網に接続されたサーバシステムによって、他の制御装置との間で通信を行うために確立された通信セッションを介して、当該他の制御装置へ、状態を前記送電状態に設定する旨を指示する送電状態設定指示を送信する送電状態設定指示送信手段と、
前記送電状態設定指示を送信した場合、前記電力制御システムの状態を前記受電状態に設定する受電側状態制御手段と、
を備える制御装置。
【００９７】
（付記１０）
付記９に記載の制御装置であって、
電力の供給を要求する旨を表す電力供給要求を前記サーバシステムへ送信する電力供給要求送信手段を備える制御装置。
【００９８】
（付記１１）
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用される制御装置に、
前記通信回線網に接続されたサーバシステムによって、他の制御装置との間で通信を行うために確立された通信セッションを介して、当該他の制御装置へ、状態を前記送電状態に設定する旨を指示する送電状態設定指示を送信する送電状態設定指示送信手段と、
前記送電状態設定指示を送信した場合、前記電力制御システムの状態を前記受電状態に設定する受電側状態制御手段と、
を実現させるためのプログラム。
【００９９】
（付記１２）
付記１１に記載のプログラムであって、
前記制御装置に、更に、
電力の供給を要求する旨を表す電力供給要求を前記サーバシステムへ送信する電力供給要求送信手段を実現させるためのプログラム。
【０１００】
（付記１３）
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用され、
前記通信回線網に接続されたサーバシステムによって、他の制御装置との間で通信を行うために確立された通信セッションを介して、当該他の制御装置から、状態を前記送電状態に設定する旨を指示する送電状態設定指示を受信した場合、前記電力制御システムの状態を前記送電状態に設定する送電側状態制御手段を備える制御装置。
【０１０１】
（付記１４）
通信回線網に接続された制御装置であって、
電力を出力可能な電力出力装置と、電力負荷が接続される接続端子と、を備えるとともに、電線網に接続され、且つ、当該電線網から電力を受電する受電状態と、前記電力出力装置により出力された電力を当該電線網へ送電する送電状態と、に状態が切り替わる電力制御システムに適用される制御装置に、
前記通信回線網に接続されたサーバシステムによって、他の制御装置との間で通信を行うために確立された通信セッションを介して、当該他の制御装置から、状態を前記送電状態に設定する旨を指示する送電状態設定指示を受信した場合、前記電力制御システムの状態を前記送電状態に設定する送電側状態制御手段を実現させるためのプログラム。
【産業上の利用可能性】
【０１０２】
本発明は、電力を受電及び送電することが可能な電力制御システムを複数含む電力供給システム等に適用可能である。
【符号の説明】
【０１０３】
１      電力供給システム
１０    サーバシステム
１１    識別情報記憶処理部
１２    識別情報記憶部
１３    送電側電力制御システム特定部
１４    通信セッション確立部
２０ａ，２０ｂ，…  電力制御システム
２１    制御装置
２１ａ  電力供給可能通知送信部
２１ｂ  電力供給要求送信部
２１ｃ  送電状態設定指示送信部
２１ｄ  状態制御部
２１ｅ  識別情報受付部
２１ｆ  識別情報送信部
２２    発電機
２３    蓄電池
２４    接続端子
１００  電力供給システム
１１０  サーバシステム
１１１  通信セッション確立部
１２０ａ，１２０ｂ  電力制御システム
１２１  送電状態設定指示送信部
１２２  受電側状態制御部
１２３  送電側状態制御部
ＣＮＷ  通信回線網
ＰＮＷ  電線網
【図１】
2012010495.tif 000003
【図２】
2012010495.tif 000004
【図３】
2012010495.tif 000005
【図４】
2012010495.tif 000006
【図５】
2012010495.tif 000007
【図６】
2012010495.tif 000008
【図７】
2012010495.tif 000009
【図８】
2012010495.tif 000010
【図９】
2012010495.tif 000011